(57)【要約】【課題】  既設の階段を、昇降時に足元を照光して安全な昇降が可能となる階段に簡単にリフォームすることができるリフォーム用照明装置を提供する。【解決手段】  既設の階段の各段における踏板上に、下面に圧電素子２を貼着した可撓性を有する踏板被覆板１をクッション材５を介して敷設、固定すると共に、裏面側に上記圧電素子２に配線３を介して接続している複数個の発光ダイオード４を装着した段鼻被覆部材６を上記踏板被覆板１と踏板Ｂとの先端面に被せて固着し、この段鼻被覆部材６に所定間隔毎に設けている上向き透孔７から上記発光ダイオード４を臨ませて踏板被覆板１を踏みしめた時に該踏板被覆板１の撓み変形により上記圧電素子２を発電させ、発光ダイオード４を点灯させるように構成している。【選択図】    図２
2007134226.tif 000002
【特許請求の範囲】
【請求項１】
既存の階段の各踏板における踏面上にクッション材を介して敷設する可撓性を有する踏板被覆板と、この踏板被覆板の下面に取付けられて該踏板被覆板の撓み変形により発電する圧電素子と、上記各踏板の段鼻先端から踏板被覆板の先端に亘ってこれらの先端面を全面的に被覆した状態で取付けられ且つ長さ方向に間隔を存して複数の透孔を穿設してなる段鼻被覆部材と、この段鼻被覆部材の背面側空間部内に装着されて上記各透孔から外部に臨ませ且つ配線を通じて上記圧電素子に接続している発光ダイオードとからなることを特徴とするリフォーム用階段照明装置。
【請求項２】
踏板被覆板はその下面に踏板の奥行き方向に貫通した一定深さの多数の直状溝を刻設してこれらの直状溝により可撓性を付与していると共に、上面に化粧板を貼着していることを特徴とする請求項１に記載のリフォーム用階段照明装置。
【請求項３】
クッション材は踏板被覆板の下面に一体に貼着されていると共に、踏板の段鼻側に位置する該クッション材の端縁中央部を切除してその切除部に露出した踏板被覆板下面に圧電素子を取付けていることを特徴とする請求項１に記載のリフォーム用階段照明装置。
【請求項４】
下面に圧電素子を取付けている可撓性を有する踏板被覆板を既存の階段の各踏板における踏面上にクッション材を介して敷設、固定していると共に、長さ方向に間隔を存して複数の透孔を穿設してなる段鼻被覆部材を各踏板の段鼻先端から踏板被覆板の先端に亘ってこれらの先端面を全面的に被覆した状態で取付けてあり、さらに、この段鼻被覆部材の背面側空間部内に上記各透孔から外部に臨ませている発光ダイオードを配設してこれらの発光ダイオードを上記圧電素子に配線を介して接続して踏板被覆板を踏みしめた際の圧電素子の変形により発光ダイオードを点灯させるように構成したことを特徴とするリフォーム用階段照明装置の取付構造。
【請求項５】
任意の段の踏板上に敷設した踏板被覆板を踏みしめた際に、この段に配設している発光ダイオードとこの段の上下に位置する段に配設している発光ダイオードとを点灯させるように構成したことを特徴とする請求項４に記載のリフォーム用階段照明装置の取付構造。
【発明の詳細な説明】
【技術分野】
【０００１】
本発明は階段の昇降時に該階段を照明する照明装置、特に、既設の階段の各踏板上に取付けて経済的に照明することができるリフォーム用照明装置とその取付構造に関する。
【背景技術】
【０００２】
従来から、夜間等において階段を昇降する際に、該階段を照明して安全性を確保することが行われている。このような照明装置としては、階段の側壁面に埋設された複数個の小型照明器具を点灯させたり、或いは、暗闇中で点灯スイッチを探すことが困難な理由から照明を常夜灯にしたり、さらには、人体検知センサを採用して点灯させることが行われている。しかしながら、このような照明装置は、階段全体を照明するように構成されているために不経済であると共に足元を集中的に照明することできない。
【０００３】
このため、例えば特許文献１に記載されているように、階段の踏板を中空に形成し、この中空内に足元を照明する光源を配設すると共に、階段の最上段側と最下段側に人体検知センサを配設し、昇降時に人体検知センサによって光源を作動させてこれらの光源から足元に向かって光を照射するように構成した照明装置や、特許文献２に記載されているように、階段の各段に凹部を設けてこの凹部内に押圧発電素子を介して踏板を配設すると共にその踏板の近傍部に発光ダイオードを設けて上記押圧発電素子とこれらの発光ダイオードとを蓄電装置を介して接続し、踏板を踏みしめた時に押圧発電素子に起電力を発生させて上記蓄電装置を介して発光ダイオードを点灯させるように構成した照明装置が開発されている。
【特許文献１】特開平１０−２０８５４０号公報。
【特許文献２】特開２００３−２０８８０８号公報。
【発明の開示】
【発明が解決しようとする課題】
【０００４】
しかしながら、特許文献１に記載の照明装置によれば、人体検知センサ等に常時微電流を通電しておく必要があるばかりでなく、昇降時には全ての踏板内から光源を照光させるようにして構成しているため省エネルギーの観点からは好ましくなく、さらに、この照明装置は踏板を中空に形成してその中空内に光源等を配設しておくものであるから、既設の階段をリフォームする際に、各踏板にこの照明装置を付設することはできないといった問題点がある。
【０００５】
一方、特許文献２に記載の照明装置によれば、昇降時に任意の踏板とこの踏板の上下に隣接する踏板に配設された発光ダイオードのみを点灯させることができるので、省エネルギーには貢献することができるものの、上記特許文献１に記載の照明装置と同様に、階段の各段の踏板は、通常の階段の踏板とは異なって押圧発電素子等が配設可能な凹部等を設けた特殊の構造や形状に構成しているので、既設の階段をリフォームするにはこの階段の全ての踏板を取り外して上記の構造を有する踏板に取り替える必要があると共に、発光ダイオードの配設箇所を新たに設ける必要が生じ、施工が大掛かりとなって施工期間が長くなるばかりでなく施工費用が嵩み、実際上、リフォームには適さないといった問題点があった。
【０００６】
本発明は上記のような問題点に鑑みてなされたもので、その目的とするところは、省エネルギーに貢献することができるのは勿論、取扱性、施工性に優れていて既設の階段に対してもその階段の踏板をそのまま使用して簡単に照明可能な階段にリフォームすることができると共に体裁のよい外観を呈する階段照明装置とその取付構造を提供するにある。
【課題を解決するための手段】
【０００７】
上記目的を達成するために、本発明のリフォーム用階段照明装置は、請求項１に記載したように、既存の階段の各踏板における踏面上にクッション材を介して敷設する可撓性を有する踏板被覆板と、この踏板被覆板の下面に取付けられて該踏板被覆板の撓み変形により発電する圧電素子と、上記各踏板の段鼻先端から踏板被覆板の先端に亘ってこれらの先端面を全面的に被覆した状態で取付けられ且つ長さ方向に間隔を存して複数の透孔を穿設してなる段鼻被覆部材と、この段鼻被覆部材の背面側空間部内に装着されて上記各透孔から外部に臨ませ且つ配線を通じて上記圧電素子に接続している発光ダイオードとから構成している。
【０００８】
このように構成したリフォーム用階段照明装置において、請求項２に係る発明は、上記踏板被覆板の下面に踏板の奥行き方向に貫通した一定深さの多数の直状溝を刻設してこれらの直状溝により可撓性を付与していると共に、該踏板被覆板の上面に化粧板を貼着していることを特徴とする。
【０００９】
さらに、請求項３に係る発明は、クッション材を踏板被覆板の下面に一体に貼着していると共に、踏板の段鼻側に位置する該クッション材の端縁中央部を切除してその切除部に露出した踏板被覆板下面に圧電素子を取付けていることを特徴とする。
【００１０】
請求項４に係る発明は、上記リフォーム用階段照明装置の取付構造であって、下面に圧電素子を取付けている可撓性を有する踏板被覆板を既存の階段の各踏板における踏面上にクッション材を介して敷設、固定していると共に各踏板の段鼻先端に、長さ方向に間隔を存して複数の透孔を穿設してなる段鼻被覆部材を各踏板の段鼻先端から踏板被覆板の先端に亘ってこれらの先端面を全面的に被覆した状態で取付けてあり、さらに、この段鼻被覆部材の背面側空間部内に上記各透孔から外部に臨ませている発光ダイオードを配設してこれらの発光ダイオードを上記圧電素子に配線を介して接続して踏板被覆板を踏みしめた際の圧電素子の変形により発光ダイオードを点灯させるように構成している。
【００１１】
このように構成したリフォーム用階段照明装置の取付構造において、請求項５に係る発明は、任意の段の踏板上に敷設した踏板被覆板を踏みしめた際に、この段に配設している発光ダイオードとこの段の上下に位置する段に配設している発光ダイオードとを点灯させるように構成している
【発明の効果】
【００１２】
本発明のリフォーム用階段照明装置及びその取付構造によれば、下面に圧電素子を取付けている可撓性を有する踏板被覆板を既設の階段の踏板の踏面上にクッション材を介して敷設すると共に、該踏板の段鼻先端から踏板被覆板の先端に亘ってこれらの先端面を全面的に被覆した状態で、複数個の発光ダイオードを装着している段鼻被覆部材を取付けるように構成しているので、該踏板上に踏板被覆材をクッション材を介して貼着等により簡単に施工することができると共に、段鼻被覆部材に複数個の発光ダイオードを装着しているので、踏板の段鼻先端面と踏板被覆板の先端面を一体的に被覆するように段鼻被覆部材を取付けることによって、これらの発光ダイオードを同時に配設することができ、従って、既設の階段の踏板を取り替えたり加工したりすることなく、該既設の階段に対する本発明階段照明装置の施工作業を能率よく行うことができる。
【００１３】
その上、階段照明装置は、上記のように下面に圧電素子を取付けている踏板被覆板と複数個の発光ダイオードを装着している段鼻被覆部材とから構成しているので、構造が簡単で安価に提供することができると共に施工時における取扱性にも優れており、さらに、発光ダイオードは段鼻被覆部材の背面に設けている空間部内に装着されていて、この段鼻被覆部材に長さ方向に一定間隔毎に穿設している透孔から外部に臨ませているので、発光ダイオードは踏板被覆板の下面に取付けている圧電素子と共に外部に露出していないから、損傷したり破損するのを防止し得るのは勿論、通常の踏板と殆ど変わらない体裁のよい外観を呈する階段にリフォームすることができ、また、段鼻被覆部材の背面側の空間部を利用して各発光ダイオードと圧電素子間の接続配線も外部に露出させることなく簡単に行うことができる。
【００１４】
さらに、踏板被覆板は可撓性を有していて、この踏板被覆板をクッション材を介して既設の階段の踏板上に敷設しているので、階段の昇降時にこの踏板被覆板を踏みしめると、該踏板被覆板はクッション材を圧縮させながら容易に下方に撓み変形してその変形圧を圧電素子に直接伝達することができ、その圧力によって圧電素子から電力を発生させて発光ダイオードを確実に点灯させることができると共に、全ての発光ダイオードを段鼻被覆部材に設けている透孔から外部に臨ませているので、これらの発光ダイオードによって確実に足元を照らすことができ、階段を安全に昇降することができる。
【００１５】
また、発光ダイオードは点灯しても高熱などは発生しないので、耐熱処理は不要であるのは勿論、発光効率が低下するまで使用できて、通常の電灯による照明設備に比べて長期の使用が可能となり、メンテナンスコストが安価となる。その上、階段の昇降時にのみ、点灯させるように構成しているため、電力の安定供給のための蓄電装置が不要となるばかりでなく、常夜灯のように不快の虫が集まる虞れをなくすることができる。
【００１６】
さらに、既設の階段の各踏板における段鼻先端に取付けた上記段鼻被覆部材は、滑り止めの機能も発揮してより安全な昇降を可能にすると共に、段鼻被覆部材や上記踏板被覆板が損傷等をしたり発光ダイオード等が故障した場合には、その段の段鼻被覆部材や踏板被覆板のみを交換することによって容易に且つ経済的に階段を補修することができる。
【００１７】
上記リフォーム用階段照明装置において、請求項２に係る発明によれば、上記踏板被覆板の下面に踏板の奥行き方向に貫通した一定深さの多数の直状溝を刻設してこれらの直状溝により踏板被覆板に可撓性を付与しているので、階段の昇降時にこの踏板被覆板のどの部分を踏みしめても、直状溝を介してその圧力を踏板被覆板全体に分散させて圧電素子に確実に伝達することができ、従って、安定した電力を発生させることができる。また、この踏板被覆板の上面に化粧板を貼着しているので、優れた外観を呈する階段構造にリフォームすることができる。
【００１８】
請求項３に係る発明によれば、上記クッション材を踏板被覆板の下面に一体に貼着しているので、取扱いが容易であるばかりでなく既設の階段の踏板の踏面上にクッション材を貼着することによってこの踏板被覆板を簡単且つ正確に施工することができ、その上、踏板の段鼻側に位置する該クッション材の端縁中央部を切除してその切除部に露出した踏板被覆板下面に圧電素子を取付けているので、該圧電素子は昇降時に最も頻繁に踏みしめられる段鼻近傍部に配設された状態となって、常に、確実な電力を安定的に発生させることができる。
【００１９】
また、請求項５に係る発明によれば、任意の段の踏板上に敷設した踏板被覆板を踏みしめた際に、この段に配設されている発光ダイオードと該段の上下に位置する段に配設されている発光ダイオードとを点灯させるように構成しているので、各段の踏板被覆板を踏みしめる毎に、該踏板被覆板の下面に取付けている圧電素子からの電力をこの段と上下に位置する段とに配設された発光ダイオードにのみ、集中的に分散、供給して発光ダイオードを所定の輝度でもって点灯させることができると共に、次々に踏みしめる段を確認しながら安全に昇降することができる。
【発明を実施するための最良の形態】
【００２０】
次に、本発明を実施するための最良の形態を図面について説明すると、図１〜図４において、リフォーム用階段照明装置は、既設の階段Ａの各段における踏板Ｂの踏面の平面形状と同じ平面横長長方形状に形成されていて、該踏面を全面的に被覆することができる可撓性を有する踏板被覆板１と、この踏板被覆板１の下面に取付けられた圧電素子２と、この圧電素子２の電極に基端を接続した複数本の配線３を介して各配線３の先端に接続している発光ダイオード（ＬＥＤ）４と、上記踏板被覆板１の下面に貼着している一定厚みを有するクッション材５と、踏板Ｂの段鼻先端部からこの踏板Ｂ上に敷設された上記踏板被覆板１の先端部に亘ってこれらの先端面を被覆した状態で取付けられ且つその上面に長さ方向に一定間隔毎に複数個の透孔７を穿設している段鼻被覆部材６とからなる。
【００２１】
そして、この段鼻被覆部材６の背面側に設けている空間部８（図２、図３に示す）に圧電素子２に接続した上記配線３を導入すると共に複数個の発光ダイオード４を装着し、各発光ダイオード４をそれぞれ透孔７を通じて外部に向かって上方に臨ませて、圧電素子２から発生する電力により点灯させるように構成している。
【００２２】
このリフォーム用階段照明装置をさらに詳しく説明すると、上記踏板被覆板１は、上面全面に天然木質単板からなる化粧板９を貼着した厚さが９mmの合板からなり、図５〜図７に示すように、その下面に該下面から上面に向かって深さが６mm、幅が１mmの直状溝10を踏板Ｂの奥行き方向に、即ち、該踏板被覆板１の基端面と先端面間に貫通させて長手方向に10mmのピッチ間隔毎に刻設してあり、これらの直状溝10によって踏板被覆板１に可撓性を付与していると共に先端部における上半部を全長に亘って断面Ｌ字状に切欠いて段部1aに形成している。なお、この踏板被覆板１は合板以外の木質材料によって形成しておいてもよく、或いは、合成樹脂材料から形成しておいてもよい。
【００２３】
さらに、直状溝10の深さや幅、ピッチ等は、踏板被覆板１の厚さや材質に応じて適宜に設定すればよく、さらには、この直状溝10を上記のように踏板被覆板１の短辺に平行する方向に設けているが、長辺に平行するように設けておいてもよい。また、下面に取り付けた上記圧電素子２に撓み変形による圧力を伝達して該圧電素子２を発電させることができる程度に可撓性を有する板材を採用した場合には、このような直状溝10は必ずしも設ける必要はない。
【００２４】
踏板被覆板１の下面全面に貼着しているクッション材５は、厚さが５mmのウレタン系樹脂発泡体からなり、踏板被覆板１の下面に取付けた上記圧電素子２に対応する部分だけ切欠いて切除することにより、その切除部11から圧電素子２を露出させている。なお、このクッション材５はウレタン系樹脂発泡体以外に、ポリエチレン系、ポリエステル系、フェノール系等の適宜な樹脂発泡体から形成してもよい。
【００２５】
また、クッション材５の厚さも５mmに限定されることなく、材質等に応じて１mm〜10mm厚に形成しておけばよい。このクッション材５の厚さが１mm以下では、踏板Ｂ上に該クッション材５を介して貼着している踏板被覆板１を踏みしめた時に、クッション材５の圧縮量が小さいために該踏板被覆板１の撓み変形量が極めて少なくてその撓み変形による振動や圧力が圧電素子２に伝達し難くなって安定した発電ができなくなる一方、厚みが10mm以上でクッション材５の圧縮量が大きくなって踏板被覆板１の撓み変形量が増大し、歩行感を損なうばかりでなく、踏板被覆板１の撓み変形による圧力が圧電素子２に部分的に集中して故障がしやすくなるので好ましくない。
【００２６】
圧電素子２は、ＦＲＰ樹脂製の長方形状のプリント基板における長さ方向の中央部に圧電バイモルフ素子を貼着してなるバイモルフ型の圧電素子であり、この圧電素子２を上記踏板被覆板１の下面にその長さ方向をこの踏板被覆板１に刻設している直状溝10に直交する方向に向けた状態で貼着することにより取付けている。踏板被覆板１の下面における圧電素子２の取付位置は特に限定されないが、階段を昇降する際に、最も踏みしめによる荷重が掛かり易い部分である踏板被覆板１における踏板Ｂの段鼻側の先端中央部に貼着し、踏板被覆板１の撓み変形による圧力を確実に圧電素子２に伝達し、常に安定的に電力を発生させるように構成している。
【００２７】
そして、上記クッション材５においては、踏板Ｂの段鼻側における長辺側端縁中央部を圧電素子２の平面形状と同じ横長長方形状に切除してその切除部11を通じて上記圧電素子２を踏板被覆板１の段鼻側の長辺側先端中央部に貼着している。なお、下面に長辺に平行な直状溝10を短辺方向に一定間隔毎に設けている踏板被覆板１においては、図８に示すように、クッション材５の長さ方向における両側中央部に該クッション材５の短手方向に長い長方形状の切除部11、11を設け、これらの切除部11、11を通じて圧電素子２、２を踏板被覆板１の下面における両側中央部に直状溝10に直交させた状態で貼着しておけばよい。
【００２８】
なお、踏板被覆板１の下面に貼着する圧電素子２の数としては、上記のように１枚〜２枚に限定されないが、例えば、踏面寸法が200mm 〜220mm で両側の短辺端面間の幅が800mm 〜1000mm程度の踏板Ｂの場合であれば、各踏板Ｂに２〜３個の圧電素子２を貼着しておけばよい。また、圧電素子２はバイモルフ型の圧電素子を採用しているが、モノモルフ型や積層型等の圧電素子を採用してもよい。さらに、圧電素子２に配線３を介して接続している上記発光ダイオード４としては、光度6800mcd 、指向特性15°、定格直流順電流20mAの超高輝度の砲弾型圧電素子を使用しているが、その他の発光ダイオードを採用してもよい。
【００２９】
上記各踏板Ｂの段鼻先端から踏板被覆板１の先端に亘ってこれらの先端面を全面的に被覆した状態で取付けられる段鼻被覆部材６はＡＢＳ樹脂成形品からなり、図２〜図４及び図９（イ）に示すように、踏板Ｂの長辺側の長さに等しい長さを有し、且つ、踏板Ｂの厚みと踏板被覆板１の厚みとの和に相当する上下幅を有する横長長方形状に形成されていると共に、上半部を踏板被覆板１の先端面被覆部6aに、下半部を踏板Ｂの先端面被覆部6bに形成している。
【００３０】
踏板被覆板１の先端面被覆部6aは、踏板被覆板１の先端面にその背面を当接させて該先端面を被覆する垂直被覆片部6a1 と、この垂直被覆片部6a1 の上端に背面側に向かって直角に屈折して踏板被覆板１の先端部上面を被覆する一定幅を有する水平被覆片部6a2 とからなり、この水平被覆片部6a2 に上下方向に貫通した上記透孔７を複数個、一定間隔毎に穿設していると共に、上記垂直被覆片部6a1 の下端から下方に向かって上記踏板Ｂの先端面を被覆する被覆部6bを一体に垂設している。
【００３１】
そして、上記踏板被覆板１は、その先端部における上半部を断面断面Ｌ字状に切欠いて段部1aに形成しているので、段鼻被覆部材６における上記先端面被覆部6aを踏板被覆板１の先端部に被せて固着した場合には、この先端面被覆部6aの背面側上部に、該背面と上記段部1aとで囲まれた空間部８が全長に亘って形成され、この空間部８内に圧電素子２の接続配線３を導入、配設すると共に該空間部８内における上記各透孔７の下方に発光ダイオード４をそれぞれ装着、固定し、透孔７を通じて上方に臨ませるように構成している。
【００３２】
踏板被覆板１は、図においてはその先端部を踏板Ｂの先端面から一定寸法だけ僅かに外方に向かって突出させた状態で取付けてあり、従って、この踏板被覆板１の先端面を被覆する上記段鼻被覆部材６の先端面被覆部6aにおける垂直被覆片部6a1 の下端に背面側に向かって直角に屈折して踏板被覆板１の上記突出先端部下面を被覆する下側水平被覆片部6a3 を形成し、この水平被覆片部6a3 から上記踏板Ｂの先端面を被覆する被覆部6bを下方に向かって垂直に垂設、形成しているが、上記下側水平被覆片部6a3 に変えて、図９（ロ）に示すように、垂直被覆片部6a1 の下端から背方に向かって下方に傾斜させた形状に形成したり、或いは図９（ハ）に示すように踏板Ｂの先端面を被覆する被覆部6bを肉厚に形成した形状としておいてもよい。
【００３３】
また、踏板被覆板１の先端部を踏板Ｂの段鼻先端から外方に突出させることなく、その下半部先端面を段鼻先端面と面一の垂直面に形成している場合には、図９（ニ）に示すように、段鼻被覆部材６を踏板被覆板１の先端面と踏板Ｂの段鼻先端面とを一体に被覆する垂直な被覆片部6a' と、この垂直被覆片部6a' の上下端に、背方に向かって直角に屈折した一定幅を有する踏板被覆板１の先端部上面被覆部6a'1と段鼻下面被覆部6a'2とを形成してなる断面コ字状に形成しておけばよい。なお、この段鼻被覆部材６はＡＢＳ樹脂以外の適宜な合成樹脂材料によって形成してもよく、或いは、木質材料や金属材料から形成しておいてもよい。
【００３４】
次に、上記のように構成したリフォーム用階段照明装置を既設の階段Ａに配設して該階段Ａを照明可能な階段にリフォームするには、各段における踏板Ｂ上に踏板被覆板１の下面に貼着しているクッション材５を載置することにより、踏板Ｂ上に踏板被覆板１を積層状態に敷設、固定する。この踏板被覆板１の固定手段としては、踏板Ｂの上面とクッション材５の下面とを両面接着テープ（図示せず）によって部分的に固着することによって行われるが、接着剤等の適宜な固着手段によって行ってもよい。
【００３５】
踏板被覆板１の下面には圧電素子２が一体に取付けられていて、この圧電素子２から先端に発光ダイオード４を接続させた複数本の配線３が外部に引き出されてあり、これらの配線３を段鼻被覆部材６の背面に形成している空間部８内に導入すると共に各配線３に接続した発光ダイオード４を空間部８内における段鼻被覆部材６の水平被覆片部6a2 に穿設している透孔７の下方に順次、配設して接着テープ等により固定し、空間部８内から透孔７を通じて上方に臨ませた状態にする。
【００３６】
この状態にして段鼻被覆部材６における断面コ字状に形成している上半部の被覆部6aを踏板Ｂの先端面から突出している踏板被覆板１の先端部に被嵌させることにより、該被覆部6aの垂直被覆片部6a1 を踏板被覆板１の先端面に当接させた該先端面を被覆すると共にこの垂直被覆片部6a1 の上端の水平被覆片部6a2 によって踏板被覆板１の先端段部1aを被覆し且つその突出端部下面を踏板被覆板１の先端部上面に重ね合わせた状態で密接、被覆させ、同時に、段鼻被覆部材６における下半部の被覆部6bを踏板Ｂの先端面に当接させてこの被覆部6bによって該先端面を被覆させている。なお、この状態で段鼻被覆部材６を固着する手段としては、踏板被覆板１の先端面と踏板Ｂの段鼻先端面とを両面接着テープによって段鼻被覆部材６の背面に一体に貼着することにより行っているが、ビス止め等の固定手段を採用してもよい。
【００３７】
このように、既設の階段Ａの各段に、下面に圧電素子２を貼着している踏板被覆板１を敷設する作業と、圧電素子２に配線３を介して接続している発光ダイオード４を段鼻被覆部材６の背面空間部８内に配設して該段鼻被覆部材６の上端水平被覆片部6a2 に穿設している各透孔７から発光ダイオード４を上方に臨ませた状態に組み込む作業と、この段鼻被覆部材６を踏板被覆板１と踏板Ｂの先端面に被せて固着する作業とを行うことにより、既設の階段Ａを照明装置付設階段に能率よくリフォームすることができる。
【００３８】
このリフォームされた階段Ａを昇降すると、各段の踏板被覆板１を踏みしめた際に、該踏板被覆板１が下面のクッション材５を圧縮させながら下方に撓み変形すると共に、該踏板被覆板１の下面に取付けている圧電素子２がクッション材５の圧縮量に応じて踏板Ｂの踏面側に変位しながら踏板被覆板１と一体的に変形して電力を発生させ、発光ダイオード４を点灯させて足元を照光するものである。
【００３９】
圧電素子２としてバイモルフ型を使用した場合には、一つの圧電素子２の起電力によって10個程度の発光ダイオード４を点灯させることが可能であるので、上記のように、踏みしめた段のみの発光ダイオード４を点灯させるように配線する以外に、踏みしめた段の上下に位置する段に配設している発光ダイオード４を点灯させるように構成しておいてもよい。このように構成すると、昇降時に踏みしめた段の前後の段に配設している発光ダイオード４が次々と点灯して、踏みこむべき足元の位置を確認しながら安全に昇降することができる。
【００４０】
さらに、踏みしめた段とこの段の上下に位置する段とに配設した発光ダイオード４を点灯するように構成しておいてもよく、或いは、図10に示したように、側桁Ｃや手摺りＤに所定間隔毎に発光ダイオード４を装着しておき、踏板被覆板１の下面に取付けている圧電素子２から配線３によってこれらの発光ダイオード４を点灯させるように構成しておいてもよい。
【００４１】
このように、任意の段の踏板被覆板１を踏みしめた際に、該段の上下に位置する段側の段鼻被覆部材６の透孔７に臨ませている複数個の発光ダイオード４を点灯させたり、或いは、側桁Ｃや手摺りＤに装着している発光ダイオード４を点灯させるように配線するには、側桁Ｃの内面に配線路Ｅを設けておき、任意の段の踏板被覆板１の下面に取付けている圧電素子２に接続した複数本の配線３を段鼻被覆部材６の背面空間部８を通じて上記配線路Ｅに導入し、この配線路Ｅから上記任意の段に隣接する段の段鼻被覆部材６の背面空間部８内に上記配線３を導入して該段鼻被覆部材６に装着している発光ダイオード４に接続したり、或いは、配線路Ｅから側桁Ｃや手摺りＤに装着している発光ダイオード４に該配線３を接続すればよい。
【００４２】
また、上記配線路Ｅに多数本の配線を収納しておき、任意の段の踏板被覆板１の下面に取付けている圧電素子２に接続した複数本の配線３を配線路Ｅ内の配線を通じて所定の発光ダイオード４に接続するように構成してもよく、さらには、このような配線路を設けることなく階段の裏側を通じて所定の発光ダイオード４に配線を接続するように構成しておいてもよい。
【図面の簡単な説明】
【００４３】
【図１】リフォームした階段の簡略斜視図。
【図２】その任意の段の拡大斜視図。
【図３】要部の縦断側面図。
【図４】照明装置の分解斜視図。
【図５】踏板被覆板の縦断正面図。
【図６】踏板被覆板の分解斜視図。
【図７】踏板被覆板の下面を上向きにした斜視図。
【図８】別な実施の形態を示す一部切欠簡略平面図。
【図９】段鼻被覆部材の種々の形態を示す縦断側面図。
【図１０】リフォームした階段の別な実施形態を示す簡略斜視図。
【符号の説明】
【００４４】
Ａ  階段
Ｂ  踏板
１  踏板被覆板
２  圧電素子
３  配線
４  発光ダイオード
５  クッション材
６  段鼻被覆部材
７  透孔
８  空間部
10  直状溝
【図１】
2007134226.tif 000003
【図２】
2007134226.tif 000004
【図３】
2007134226.tif 000005
【図４】
2007134226.tif 000006
【図５】
2007134226.tif 000007
【図６】
2007134226.tif 000008
【図７】
2007134226.tif 000009
【図８】
2007134226.tif 000010
【図９】
2007134226.tif 000011
【図１０】
2007134226.tif 000012